(57)【特許請求の範囲】
【請求項１】
一面に開口を設けた矩形箱状の筐体と、筐体の開口を開閉自在に施蓋する蓋体と、両側方に沿って機器支持金具が各々取り付けられた電子機器を支持するために筐体の四隅に立設される４つの支持部材と、を備えた電子機器収納ボックスに用いられ、前記４つの支持部材のうち少なくとも筐体の開口側又は奥側の一対の支持部材に前記機器支持金具を取り付ける電子機器収納ボックス用支持金具であって、
前記一対の支持部材の相対向する取付面に取り付けられる取付部であって筐体の奥行き方向に沿う長孔を有した調整取付片と、他の一対の支持部材に一端側が支持された前記機器支持金具の他端側に取り付けられる固定取付片と、を有してなることを特徴とする電子機器収納ボックス用支持金具。
【請求項２】
前記長孔の近傍に、前記取付螺子の挿通箇所を示す目印を設けた請求項１記載の電子機器収納ボックス用支持金具。
【発明の詳細な説明】
【０００１】
【発明の属する技術分野】
本発明は、サーバー等の電子機器を電子機器収納ボックス内で支持するための電子機器収納ボックス用支持金具に関する。
【０００２】
【従来の技術】
近年、ＩＴ技術の発展に伴い、各地に情報センタービルが建築され、これら多くの情報センタービルには、電子情報の配信を司る電子機器であるサーバーが設置される。これらのサーバーは、高価かつ精密であり、かつ、膨大なる貴重な電子データが格納されているために、第三者に取り扱われないよう、施錠可能な開閉扉を備える電子機器収納ボックスに保管される。
【０００３】
この電子機器収納ボックス１００は、図６及び図７に示すように、一面に開口１０１ａを設けた矩形箱状の筐体１０１、筐体の開口を開閉自在に施蓋する蓋体１０２、電子機器を支持するために筐体１０１の四隅に立設された支持部材１０３を備えている。この支持部材１０３は、図８に示すように、支持板１０４の四隅を支持し、その支持された支持板１０４に、サーバー等の電子機器を載置する。
【０００４】
ところで、近時にあっては、電子機器収納ボックス１００の支持部材１０３に支持板１０４を支持させて、その支持板１０４にサーバー等の電子機器を載置するよりも、支持金具を介して電子機器を支持部材１０３に支持させる、いわゆるマウントラック方式を採用することが多くなっている。
【０００５】
【発明が解決しようとする課題】
上記したマウントラック方式により、サーバー等の電子機器が支持金具を介して支持されるようになると、支持板を設けなくてもよくなるために、電子機器収納ボックスを収納するスペースを大きくすることができる。
【０００６】
しかしながら、マウントラック方式では、サーバー等の電子機器は、そのサイズが多様であるために、その奥行き寸法が、電子機器収納ボックス１００の前後の支持部材１０３間の寸法と一致しない場合には、支持部材１０３に取り付けることができなくなってしまうという問題点があった。
【０００７】
ところで、システム機器（電子機器）を収納ラック（電子機器収納ボックス）に取付けるシステム機器の取付け機構として、実開平７−２２５９２号に開示されたものが存在する。このものでは、図９に示すように、システム機器２０１の側部からは、ビス２０２の先端を突出させ、システム機器２０１の側部に取り付くべき支持片２０３には、システム機器２０１の前後方向に沿って、スリット孔２０３ａが開設されるとともに、透孔２０３ｂを上下に設け、ビス２０２の先端部を、スリット孔２０３ａを貫通し、ナット２０４に螺合している。
【０００８】
このものでは、支持片２０３のスリット孔２０３ａを利用して、支持片２０３を、前後方向に調節した状態でシステム機器２０１に取付けることができるので、支持片２０３をその透孔２０３ｂを介して収納ラック２０５に取付けることによりシステム機器２０１を収納ラック２０５に収納する際に、システム機器２０１を収納ラック２０５に対して前後方向にずらして容易に収納することができるようになっている。
【０００９】
しかしながら、このものでは、システム機器２０１の側部からビス２０２を突出させる必要があるために、加工に手間がかかるという別の問題点が生じてしまう。
【００１０】
本発明は、上記の点に着目してなされたもので、その目的とするところは、電子機器をその奥行き方向によらずに、電子機器収納ボックスに支持することができ、しかも、電子機器側に特別の加工をせずにすませる電子機器収納ボックス用支持金具を提供することにある。
【００１１】
【課題を解決するための手段】
上記した課題を解決するために、請求項１記載の電子機器収納ボックス用支持金具は、一面に開口を設けた矩形箱状の筐体と、筐体の開口を開閉自在に施蓋する蓋体と、両側方に沿って機器支持金具が各々取り付けられた電子機器を支持するために筐体の四隅に立設される４つの支持部材と、を備えた電子機器収納ボックスに用いられ、前記４つの支持部材のうち少なくとも筐体の開口側又は奥側の一対の支持部材に前記機器支持金具を取り付ける電子機器収納ボックス用支持金具であって、前記一対の支持部材の相対向する取付面に取り付けられる取付部であって筐体の奥行き方向に沿う長孔を有した調整取付片と、他の一対の支持部材に一端側が支持された前記機器支持金具の他端側に取り付けられる固定取付片と、を有してなる構成としている。
【００１２】
請求項２記載の電子機器収納ボックス用支持金具は、請求項１記載の電子機器収納ボックス用支持金具において、前記長孔の近傍に、前記取付螺子の挿通箇所を示す目印を設けた構成にしている。
【００１４】
【発明の実施の形態】
本発明の電子機器収納ボックス用支持金具の一実施形態を図１乃至図５に基づいて以下に説明する。この電子機器収納ボックス用支持金具１０は、サーバー等の電子機器２０を収納する電子機器収納ボックス３０に使用されて、電子機器２０の側方に沿って取り付けられた機器支持金具４０を、いわゆるマンウトラック方式で支持するためのものである。
【００１５】
電子機器収納ボックス３０は、図３乃至図５に示すように、一面に開口３１ａを設けた矩形箱状の筐体３１、筐体３１の開口３１ａを開閉自在に施蓋する蓋体３２、筐体３１の四隅に立設され電子機器２０を支持するための支持部材３３を備えて構成されている。この支持部材３３は、その立設方向に多数の取付孔３３ａが設けられている。
【００１６】
支持部材３３のうち、筐体３１の奥に位置した後方の支持部材３３Ａは、互いに対向する対向面を機器支持金具４０を取り付けるための側方取付面３３ｂとしており、この側方取付面３３ｂに、前述した取付孔３３ａが設けられている。また、筐体３１の開口３１ａ近傍に位置した前方の支持部材３３Ｂは、蓋体３２と対向する対向面を機器支持金具４０を取り付けるための前方取付面３３ｃとしており、この前方取付面３３ｃに、前述した取付孔３３ａが設けられている。
【００１７】
一方、この支持部材３３に支持される電子機器２０は、略直方体状をなし、電子機器収納ボックス３０にマウントラック方式で支持される場合は、一般に、その側方に沿って、一対の機器支持金具４０が取り付けられる。この機器支持金具４０は、幅方向両端部に脚片４０ａが設けられて、断面略コ字型に形成されるとともに、電子機器収納ボックス３０の筐体３１の開口３１ａ側又は奥側に位置することになる長手方向両端部に、図２に示すように、筐体３１の開口３１ａに略平行となる取付鍔４０ｂがそれぞれ設けられている。この機器支持金具４０は、その脚片４０ａでもって電子機器２０を上下方向から挟持するようにして、電子機器２０の側方に沿って取り付けられる。
【００１８】
次に、電子機器収納ボックス用支持金具１０の各部を説明する。この電子機器収納ボックス用支持金具１０は、固定取付片１及び調整取付片２を有して、略Ｌ字型に形成されている。
【００１９】
固定取付片１は、幅の狭い長方形をなし、機器支持金具４０の他端側の取付鍔４０ｂに螺子止めするために、図１に示した取付螺子５０を挿通する挿通孔１ａが、開口形状を矩形として、長手方向に沿って複数個設けられている。
【００２０】
調整取付片２は、略正方形をなし、その両側の外縁部に沿って、後方の支持部材３３Ａの側方取付面３３ｂに取り付けるために螺子止めする取付螺子５０を、長手方向に沿って適宜位置に挿通可能な長孔（取付部）２ａを設けている。また、この調整取付片２の外方面には、よく使用される電子機器２０の奥行き方向のサイズに合わせて、取付螺子５０の挿通箇所を示すために、長孔２ａの近傍に、三角の目印２ｂを設けている。
【００２１】
次に、このものを使用して、電子機器２０に取り付けられた機器支持金具４０を、電子機器収納ボックス３０の支持部材３３に取り付ける状態について説明する。
【００２２】
このものの固定取付片１の挿通孔１ａに取付螺子５０を挿通し、その取付螺子５０でもって、固定取付片１を機器支持金具４０の取付鍔４０ｂに取り付けるとともに、調整取付片２の長孔２ａにも取付螺子５０を挿通し、その取付螺子５０でもって、筐体３１の奥行き方向に沿って、調整取付片２を後方の支持部材３３Ａの側方取付面３３ｂに取り付けることによって、電子機器２０に取り付けられた機器支持金具４０を、電子機器収納ボックス３０の支持部材３３に取り付けることができ、結局、電子機器２０を電子機器収納ボックス３０の支持部材３３に取り付けて、収納することができるのである。
【００２３】
このとき、調整取付片２の長孔２ａにおける取付螺子５０の挿通箇所を調整することにより、後方の支持部材３３と調整取付片２との取付位置を、筐体３１の奥行き方向に沿って、調整することができる。
【００２４】
かかる電子機器収納ボックス用支持金具にあっては、筐体３１の奥行き方向に沿って調整取付片２に設けられた長孔２ａにより、後方の支持部材３３の側方取付面３３ｂに取り付けられるから、筐体３１の奥行き方向に沿った長孔２ａにおける取付螺子５０の挿通位置を調整することにより、後方の支持部材３３と調整取付片２との取付位置を、筐体３１の奥行き方向に沿って、調整することができる。よって、機器支持金具４０の他端側に取り付けられる固定取付片１の位置も、筐体３１の奥行き方向に沿って調整することができるので、電子機器２０をその奥行き方向によらずに、電子機器収納ボックス３０の支持部材３３に支持することができる。
【００２５】
また、よく使用される電子機器２０の奥行き方向のサイズに合わせた取付螺子５０の挿通箇所に合わせて、長孔２ａの近傍に目印２ｂを設けているので、その目印に合わせて、取付螺子５０を挿通することができるので、取付螺子５０の挿通作業がより容易になる。
【００２６】
また、電子機器２０の側部から取付螺子を突出させる必要がないため、電子機器２０側に特別の加工をせずにすむものとなっている。
【００２７】
なお、本実施形態の電子機器収納ボックス用支持金具は、筐体３１の奥行き方向に沿って、後方の支持部材３３Ａに取り付けられて、後方の支持部材３３Ａと調整取付片２との取付位置を、筐体３１の奥行き方向に沿って、調整するために使用されているが、例えば、前方の支持部材３３Ｂに、後方の支持部材３３Ａの側方取付面３３ｂに平行な取付面が設けられるとともに、後方の支持部材３３に、前方の支持部材３３の前方取付面３３ｃに平行な取付面が設けられている場合には、前方の支持部材３３と調整取付片２との取付位置を、筐体３１の奥行き方向に沿って、調整するために使用されてもよい。
【００２８】
また、本実施形態の電子機器収納ボックス用支持金具は、図２に示すように、固定取付片１を奥側に位置させるようにして、使用されているが、例えば、奥行き方向に沿った寸法の短い電子機器２０に合わせた機器支持金具４０に、固定取付片１を取り付ける場合には、固定取付片１を奥側に位置させるようにして、使用されてもよい。
【００２９】
【発明の効果】
請求項１記載の電子機器収納ボックス用支持金具は、調整取付片に設けられた長孔に沿って取付螺子の挿通位置を調整することにより、支持部材と調整取付片との取付位置を筐体の奥行き方向に沿って調整することができる。よって、機器支持金具の他端側に取り付けられる固定取付片の位置も、筐体の奥行き方向に沿って調整することができるので、電子機器をその奥行き方向によらずに、電子機器収納ボックスの支持部材に支持することができる。しかも、電子機器側に特別の加工をせずにすませることができる。
【００３０】
請求項２記載の電子機器収納ボックス用支持金具は、請求項１記載の電子機器収納ボックス用支持金具の効果に加えて、よく使用される電子機器の奥行き方向のサイズに合わせた取付螺子の挿通箇所に合わせて、長孔の近傍に目印を設けておけば、その目印に合わせて、取付螺子を挿通することができるので、取付螺子の挿通作業がより容易になる。
【図面の簡単な説明】
【図１】一実施形態の斜視図である。
【図２】同上のものにより電子機器の機器支持金具を支持部材に取付ける状態を示す平面断面図である。
【図３】同上のものが使用される電子機器収納ボックスの斜視図である。
【図４】図３に示す電子機器収納ボックスの蓋体を開いた状態を示す斜視図である。
【図５】図３に示す電子機器収納ボックスの支持部材を示すために筐体の一部及び蓋体を省略した斜視図である。
【図６】電子機器収納ボックスの蓋体を開いた状態を示す斜視図である。
【図７】図６に示す電子機器収納ボックスの支持部材を示すために筐体の一部及び蓋体を省略した斜視図である。
【図８】電子機器収納ボックスの支持部材に支持板が支持される状態を示す平面断面図である。
【図９】実開平７−２２５９２号に開示されたシステム機器の取付け機構の分解斜視図である。
【符号の説明】
１      固定取付片
２      調整取付片
２ａ    取付部（長孔）
２ｂ    目印
１０    電子機器収納ボックス用支持金具
２０    電子機器
３０    電子機器収納ボックス
３１    筐体
３１ａ  開口
３２    蓋体
３３Ａ  後方の（一方の）支持部材
３３ｂ  側方取付面
３３Ｂ  前方の（他方の）支持部材
４０    機器支持金具
５０    取付螺子
【図１】
0003685084.tif 000002
【図２】
0003685084.tif 000003
【図３】
0003685084.tif 000004
【図４】
0003685084.tif 000005
【図５】
0003685084.tif 000006
【図６】
0003685084.tif 000007
【図７】
0003685084.tif 000008
【図８】
0003685084.tif 000009
【図９】
0003685084.tif 000010